(57)【特許請求の範囲】
【請求項１】
発光特性が相違する第１ＬＥＤおよび第２ＬＥＤを含むＬＥＤ光源体において、
前記第１ＬＥＤは、前記第２ＬＥＤに比べて高輝度であり、
前記第２ＬＥＤは、前記第１ＬＥＤに比べて高演色性であり、
前記第１ＬＥＤに係る光軸方向と、前記第２ＬＥＤに係る光軸方向とがそれぞれ相違する向きにしてあることを特徴とするＬＥＤ光源体。
【請求項２】
発光特性が相違する複数の第１ＬＥＤおよび複数の第２ＬＥＤを配置して、液晶パネルを照射する光源ユニットにおいて、
前記第１ＬＥＤは、前記第２ＬＥＤに比べて高輝度であり、
前記第２ＬＥＤは、前記第１ＬＥＤに比べて高演色性であり、
複数の中の少なくとも１つの第１ＬＥＤに係る光軸方向と、前記第１ＬＥＤの周囲に配置される中のいずれか１つの第２ＬＥＤに係る光軸方向とが重なるように、前記第１ＬＥＤまたは前記第２ＬＥＤの少なくとも一方を傾けて配置してあることを特徴とする光源ユニット。
【請求項３】
発光特性が相違する複数の第１ＬＥＤおよび複数の第２ＬＥＤを直列的に交互配置して、液晶パネルを照射する光源ユニットにおいて、
前記第１ＬＥＤは、前記第２ＬＥＤに比べて高輝度であり、
前記第２ＬＥＤは、前記第１ＬＥＤに比べて高演色性であり、
前記複数の第１ＬＥＤの中で、直列的な配置の中心から外れた側に配置された第１ＬＥＤは、光軸方向が前記中心から外れた側の直列的な配置の端側へ向くように傾けて配置してあり、
前記複数の第２ＬＥＤの中で、直列的な配置の中心から外れた側に配置された第２ＬＥＤは、光軸方向が直列的な配置の中心へ向くように傾けて配置してあることを特徴とする光源ユニット。
【請求項４】
直列的な配置の中心から外れた側に、複数の第１ＬＥＤが配置してあり、
直列的な配置の端寄りに配置された第１ＬＥＤは、直列的な配置の中心寄りに配置された第１ＬＥＤに比べて傾ける角度が小さくしてある請求項３に記載の光源ユニット。
【請求項５】
直列的な配置の中心から外れた側に、複数の第２ＬＥＤが配置してあり、
直列的な配置の端寄りに配置された第２ＬＥＤは、直列的な配置の中心寄りに配置された第２ＬＥＤに比べて傾ける角度が小さくしてある請求項３または請求項４に記載の光源ユニット。
【請求項６】
液晶パネルと、
前記請求項２乃至請求項５のいずれか１つに記載の光源ユニットと、
前記光源ユニットに配置された第１ＬＥＤおよび第２ＬＥＤの両方を発光させる第１発光状態と、第２ＬＥＤを発光させる第２発光状態との切替を行う切替手段と
を備えることを特徴とする液晶表示装置。
【請求項７】
液晶パネルの裏面側に配置される導光板を備え、
前記光源ユニットの第１ＬＥＤおよび第２ＬＥＤは、前記導光板の側面へ向けて照射するようにしてあり、
前記導光板は、照射される側面に係る箇所での導光パターンが、光軸方向の傾けられたＬＥＤに係る光路の指向性が、前記光軸方向の傾けられたＬＥＤで照射される箇所を照射するＬＥＤに係る光路の指向性と共通になるように形成してある請求項６に記載の液晶表示装置。
【請求項８】
液晶パネルの裏面側に配置される矩形状の導光板を備え、
前記導光板の少なくともいずれか１つの角部には、面取り的な斜面が形成してあり、
前記光源ユニットは、第１ＬＥＤおよび第２ＬＥＤが前記導光板の前記斜面へ向けて照射するように配置してある請求項６に記載の液晶表示装置。
【請求項９】
液晶パネルと、
液晶パネルの裏面側に配置される矩形状の導光板と、
請求項１に記載のＬＥＤ光源体と、
前記ＬＥＤ光源体が含む第１ＬＥＤおよび第２ＬＥＤの両方を発光させる第１発光状態と、第２ＬＥＤを発光させる第２発光状態との切替を行う切替手段と
を備え、
前記導光板の少なくともいずれか１つの角部には、面取り的な斜面が形成してあり、
前記ＬＥＤ光源体は、第１ＬＥＤに係る光軸方向と、第２ＬＥＤに係る光軸方向とが重なるようにしてあると共に、第１ＬＥＤおよび第２ＬＥＤが前記導光板の前記斜面へ向けて照射するように配置してあることを特徴とする液晶表示装置。
【請求項１０】
前記導光板の前記斜面には、第１ＬＥＤの光軸方向に直交的な第１斜面と、第２ＬＥＤの光軸方向に直交的な第２斜面が形成してある請求項８または請求項９に記載の液晶表示装置。
【発明の詳細な説明】
【技術分野】
【０００１】
本発明は、液晶パネルを照射する光源に関し、光源として発光特性が相違する２種類のＬＥＤを用いると共に、各ＬＥＤの配置方向を工夫して輝度ムラおよび色ムラの軽減を図ったＬＥＤ光源体、光源ユニットおよび液晶表示装置に関する。
【背景技術】
【０００２】
従来、液晶パネルを具備する携帯電話機およびデジタルカメラなどは、液晶パネルを照射する光源として、複数の白色ＬＥＤ（Light Emitting Diode）を使用することが多い。これらの小型の電気機器では、サイドライト方式が一般に採用されている。
【０００３】
サイドライト方式とは、液晶パネルの裏面に矩形状の導光板を配置し、その導光板の一辺となる側面と対向するように複数の白色ＬＥＤなどの光源を設ける方式をいう。光源からの光は、液晶パネルの裏面に配置された導光板を介して、液晶パネルに照射される。導光板は、白色ＬＥＤなどの点光源からの光を面光源へと変換し、液晶パネルを裏面から照射する部品である。なお、携帯電話機などの小型の液晶表示装置では、導光板の角部に面取り的な斜面を形成し、その斜面へ向けて照射するように光源を配置することもある。
【０００４】
液晶パネルの照射に用いられる白色ＬＥＤで現在主流となっているものは、青色ＬＥＤの発光チップと蛍光体とを組み合わせたものである。青色ＬＥＤの発光チップと黄色の蛍光体（ＹＡＧ）とが組み合わさると輝度を優先した白色ＬＥＤ（高輝度ＬＥＤと称す。）となり、青色ＬＥＤの発光チップと赤色と緑色の蛍光体とが組み合わさると演色性を優先した白色ＬＥＤ（高演色ＬＥＤと称す。）となる。
【０００５】
なお、演色性とは、ランプなどの光源がある物体を照らしたときに、その物体の色の見え方に及ぼす光源の性質をいう。演色性の代表的な指標としては、平均演色評価数Ｒａが用いられる。Ｒａは、基準光源を１００として、１００に近いほど演色性が良いことを示している。
【０００６】
携帯電話機、デジタルカメラなどの電気機器は屋外および屋内の両方で使用されるので、このような使用環境の変化に応じた表示性能が要求される。つまり、これらの電気機器は、太陽光の下で使用する場合は太陽光が液晶パネルで反射して表示コンテンツが見にくくなるので、輝度を高くする必要が生じ、一方、屋内では、画質を向上させるために、演色性を高くする必要がある。そこで、発光特性の異なる高輝度ＬＥＤと高演色ＬＥＤの２種類を光源として併用し、屋外では両方のＬＥＤにより液晶パネルを照射して表示コンテンツを見やすくし、屋内では高演色ＬＥＤのみで照射して高画質で表示コンテンツを表示するといったように、発光特性の異なるＬＥＤの特長を有効に活用する液晶表示装置が考えられている。
【０００７】
なお、下記の特許文献１では、液晶表示装置の液晶パネルの色ムラを軽減するために、ＬＥＤの近傍に、色度補正用ＬＥＤを備えた液晶表示装置が示されている。また、下記の特許文献２には、光軸が交差するように複数のＬＥＤを配置することにより、液晶パネルの輝度ムラの軽減を図った液晶表示装置が示されている。さらに、下記の特許文献３では、内蔵するＬＥＤおよび外光という複数の光源を用いて液晶パネルを照射する液晶表示装置が示されている。
【特許文献１】特開２００１−２０９０４９号公報
【特許文献２】特開２００４−１７７８９０号公報
【特許文献３】特開２００５−１３０３２５号公報
【発明の開示】
【発明が解決しようとする課題】
【０００８】
上述した高輝度ＬＥＤと高演色ＬＥＤとを光源として併用する電気機器では、それぞれのＬＥＤの発光特性が異なるため、液晶パネルに輝度ムラや色ムラが発生する問題があった。
【０００９】
輝度ムラについて、図１４（ａ）（ｂ）を用いて説明をする。図１４は、高輝度ＬＥＤ１と高演色ＬＥＤ２を交互に配置した光源ユニット３を適用し、高演色ＬＥＤ２の照射に合わせて液晶パネル４の輝度が均一化されるようなパターンで設計した導光板（図示せず）を用いた液晶表示装置の要部を示す概略図である。図１４（ａ）に示すように、高演色ＬＥＤ２で照射した場合は、液晶パネル４の中心部を含む領域５が均一に照射されるので輝度ムラは生じない。しかし、図１４（ｂ）で示すように、２種類のＬＥＤ双方で照射すると、もっぱら高輝度ＬＥＤ１で照射される液晶パネル４上の箇所において他に比べて明るい凸状の領域６が発生し、液晶パネル４全体では輝度ムラが生じる。
【００１０】
一方、図１５（ａ）（ｂ）は、高輝度ＬＥＤ１′と高演色ＬＥＤ２′を交互に配置した光源ユニット３′を適用し、高輝度ＬＥＤ１′と高演色ＬＥＤ２′の双方の照射に合わせて液晶パネル４′の輝度が均一化されるようなパターンで設計した導光板（図示せず）を用いた液晶表示装置の要部を示す概略図である。図１５（ａ）に示すように、２種類のＬＥＤ双方で照射した場合は、液晶パネル４′の中心部を含む領域７が均一に照射されるので、輝度ムラは生じない。しかし、図１５（ｂ）で示すように、高演色ＬＥＤ２′のみで照射した場合は、高演色ＬＥＤ２′で照射する箇所が明るく浮かび上がると共に、高輝度ＬＥＤ１′に対応した箇所が暗く落ち込んだ領域８が発生し、液晶パネル４′全体では輝度ムラが生じる。
【００１１】
また、高輝度ＬＥＤと高演色ＬＥＤは、それぞれが色の成分が異なる白色光を出しているので、液晶パネルに色ムラが生じてしまう。具体的には、高輝度ＬＥＤから発せられる光は、色の成分として青色と黄色のみから構成される擬似的な白色光である。一方、高演色ＬＥＤから発せられる光は、青色、赤色、緑色から色成分が構成されており、より自然な白色光である。そのため、高輝度ＬＥＤで照射される領域と、高演色ＬＥＤで照射される領域とでは、表示コンテンツの色調が相違することになり、色ムラが発生してしまう。
【００１２】
本発明は、かかる問題に鑑みてなされたものであり、発光特性の異なる各光源から発せられる光のそれぞれの特長をいかしつつ、輝度ムラと色ムラを軽減できるＬＥＤ光源体、光源ユニットおよび液晶表示装置を提供することにある。
【課題を解決するための手段】
【００１３】
上記課題を解決するために、本発明に係るＬＥＤ光源体は、発光特性が相違する第１ＬＥＤおよび第２ＬＥＤを含むＬＥＤ光源体において、前記第１ＬＥＤは、前記第２ＬＥＤに比べて高輝度であり、前記第２ＬＥＤは、前記第１ＬＥＤに比べて高演色性であり、前記第１ＬＥＤに係る光軸方向と、前記第２ＬＥＤに係る光軸方向とがそれぞれ相違する向きにしてあることを特徴とする。
【００１４】
本発明にあっては、ＬＥＤ光源体には、発光特性の相違する第１ＬＥＤと第２ＬＥＤとが、それぞれの光軸方向が相違する向きに配置されている。第１ＬＥＤと第２ＬＥＤをＬＥＤ光源体の内側へと傾けて配置し、それぞれの光軸が交差するようにした場合は、発光特性の異なる光の光路が重なることになる。また、第１ＬＥＤと第２ＬＥＤを外側へと傾けて配置した場合でも、そのようなＬＥＤ光源体を複数配置すれば、発光特性の異なる光の光路が重なることになる。したがって、本発明に係るＬＥＤ光源体で液晶パネルを照射することにより、輝度ムラと色ムラを軽減できるようになる。具体的には、ＬＥＤ光源体に含まれる第１ＬＥＤと第２ＬＥＤの双方により照射したとしても、もっぱら第１ＬＥＤでのみ照射される液晶パネル上の領域が少なくなるので、第１ＬＥＤでのみ照射され明るく浮き上がる部分が少なくなり、輝度ムラが軽減される。また、２種類のＬＥＤ双方で照射する場合でも、第１ＬＥＤから発せられた光と第２ＬＥＤから発せられた光を合成して液晶パネルを照射するので、色ムラも軽減される。
【００１５】
また、本発明に係る光源ユニットは、発光特性が相違する複数の第１ＬＥＤおよび複数の第２ＬＥＤを配置して、液晶パネルを照射する光源ユニットにおいて、前記第１ＬＥＤは、前記第２ＬＥＤに比べて高輝度であり、前記第２ＬＥＤは、前記第１ＬＥＤに比べて高演色性であり、複数の中の少なくとも１つの第１ＬＥＤに係る光軸方向と、前記第１ＬＥＤの周囲に配置される中のいずれか１つの第２ＬＥＤに係る光軸方向とが重なるように、前記第１ＬＥＤまたは前記第２ＬＥＤの少なくとも一方を傾けて配置してあることを特徴とする。
【００１６】
本発明にあっては、各ＬＥＤから発せられる光軸方向が重なるように各ＬＥＤの内の少なくとも一方を傾けて配置してあるので、輝度ムラと色ムラを軽減できるようになる。具体的には、第１ＬＥＤと第２ＬＥＤの双方で照射したとしても、もっぱら第１ＬＥＤでのみ照射される液晶パネル上の領域が少なくなり、第１ＬＥＤでのみ照射され明るく浮き上がる部分が少なくなって、輝度ムラが軽減される。また、２種類のＬＥＤ双方で照射する場合でも、配置してある第１ＬＥＤから発せられた光と第２ＬＥＤから発せられた光が合成されて液晶パネルを照射するようになり、色ムラが軽減される。
【００１７】
さらに、本発明に係る光源ユニットは、発光特性が相違する複数の第１ＬＥＤおよび複数の第２ＬＥＤを直列的に交互配置して、液晶パネルを照射する光源ユニットにおいて、前記第１ＬＥＤは、前記第２ＬＥＤに比べて高輝度であり、前記第２ＬＥＤは、前記第１ＬＥＤに比べて高演色性であり、前記複数の第１ＬＥＤの中で、直列的な配置の中心から外れた側に配置された第１ＬＥＤは、光軸方向が前記中心から外れた側の直列的な配置の端側へ向くように傾けて配置してあり、前記複数の第２ＬＥＤの中で、直列的な配置の中心から外れた側に配置された第２ＬＥＤは、光軸方向が直列的な配置の中心へ向くように傾けて配置してあることを特徴とする。
【００１８】
本発明にあっては、液晶パネルの中心部を多くのユーザーが注視する傾向に着目し、このような傾向に応じた表示を行うことができるようになる。すなわち、高演色性の第２ＬＥＤの光軸方向が、直列的な配置の中心へ向くように配置されているので、液晶パネルの中心部は、もっぱら高演色性の第２ＬＥＤにより照射される。したがって、ユーザが注視する液晶パネルの中心部の画質は優れたものとなり、ユーザは優れた画質でコンテンツを享受する。また、直列的な配置の中心から外れた側に配置された第１ＬＥＤは、光軸方向が中心から外れた側の直列的な配置の端側へ向くように傾けて配置してあり、直列的な配置の中心から外れた側に配置された第２ＬＥＤは、光軸方向が直列的な配置の中心へ向くように傾けて配置してあるので、各ＬＥＤから発せられる光軸方向が重なり、輝度ムラと色ムラを軽減できるようになる。具体的には、第１ＬＥＤと第２ＬＥＤの双方で照射したとしても、もっぱら第１ＬＥＤでのみ照射される液晶パネル上の領域が少なくなり、第１ＬＥＤでのみ照射され明るく浮き上がる部分が少なくなって、輝度ムラが軽減されると共に、各ＬＥＤからの光が合成されて液晶パネルを照射するようになり、色ムラも軽減される。
【００１９】
さらにまた、本発明に係る光源ユニットは、直列的な配置の中心から外れた側に、複数の第１ＬＥＤが配置してあり、直列的な配置の端寄りに配置された第１ＬＥＤは、直列的な配置の中心寄りに配置された第１ＬＥＤに比べて傾ける角度が小さくしてあることを特徴とする。
【００２０】
本発明にあっては、第１ＬＥＤは、直列的な配置の中心から離れると、その配置の角度が緩やかになる。したがって、端寄りの第１ＬＥＤから導光板の内部へと照射された輝度の高い光は、光源ユニットから離れた位置で、導光板の入射面と直交的な側面に到達し、緩やかな角度で導光板内部へ反射する。これにより、乱反射した輝度の高い光が導光板の内部を不規則に照射することを抑えることができ、かつ、反射する光の強さも軽減されているため、液晶パネルの輝度ムラおよび色ムラが軽減されるようになる。
【００２１】
くわえて、本発明に係る光源ユニットは、直列的な配置の中心から外れた側に、複数の第２ＬＥＤが配置してあり、直列的な配置の端寄りに配置された第２ＬＥＤは、直列的な配置の中心寄りに配置された第２ＬＥＤに比べて傾ける角度が小さくしてあることを特徴とする。
【００２２】
本発明にあっては、第２ＬＥＤは、直列的な配置の中心から離れると、その配置の角度が緩やかになる。したがって、端寄りに位置する第２ＬＥＤから導光板内部へと照射された演色性に優れた光は、光源ユニットから離れた位置で、導光板の入射面と直交的な側面に到達し、緩やかな角度で導光板内部へ反射する。これにより、乱反射した演色性に優れた光が導光板の内部を不規則に照射することを抑えることができるため、液晶パネルの輝度ムラおよび色ムラが軽減されるようになる。
【００２３】
また、本発明に係る液晶表示装置は、液晶パネルと、上述したいずれか１つに記載の光源ユニットと、前記光源ユニットに配置された第１ＬＥＤおよび第２ＬＥＤの両方を発光させる第１発光状態と、第２ＬＥＤを発光させる第２発光状態との切替を行う切替手段とを備えることを特徴とする。
【００２４】
本発明にあっては、第１ＬＥＤおよび第２ＬＥＤの両方を発光させる第１発光状態と、第２ＬＥＤのみを発光させる第２発光状態を択一的に切替可能にしているので、様々な使用の状況に対応でき、発光特性の異なる第１ＬＥＤと第２ＬＥＤを有効に活用できるようになる。すなわち、屋外などで液晶表示装置を使用する場合は、太陽光が液晶パネルで反射して表示コンテンツが見にくくなるので、第１発光状態に切り替える。逆に屋内などでは、高画質のコンテンツ表示を得るために、第２発光状態に切り替えることになる。
【００２５】
さらに、本発明に係る液晶表示装置は、液晶パネルの裏面側に配置される導光板を備え、前記光源ユニットの第１ＬＥＤおよび第２ＬＥＤは、前記導光板の側面へ向けて照射するようにしてあり、前記導光板は、照射される側面に係る箇所での導光パターンが、光軸方向の傾けられたＬＥＤに係る光路の指向性が、前記光軸方向の傾けられたＬＥＤで照射される箇所を照射するＬＥＤに係る光路の指向性と共通になるように形成してあることを特徴とする。
【００２６】
本発明にあっては、傾けて配置してある第１ＬＥＤと第２ＬＥＤからの光が導光パターンに入った後、それらの光の進む方向（光路）が同一になる。そのため、第１ＬＥＤが点灯を停止する第２発光状態でも、その光路に相当する液晶パネル上の領域は、第２ＬＥＤにより照射されることになる。したがって、第２発光状態でも、この光路に相当する液晶パネル上の領域は少なくとも第２ＬＥＤにより照射されて極度に輝度が低下することはないため、輝度ムラを軽減できるようになる。
【００２７】
また、本発明に係る液晶表示装置は、液晶パネルの裏面側に配置される矩形状の導光板を備え、前記導光板の少なくともいずれか１つの角部には、面取り的な斜面が形成してあり、前記光源ユニットは、第１ＬＥＤおよび第２ＬＥＤが前記導光板の前記斜面へ向けて照射するように配置してあることを特徴とする。
【００２８】
本発明にあっては、携帯電話機などの小型の液晶表示装置で適用されることのある導光板の角部の斜面へ光源を配置する構成において、光源に上述した光源ユニットを用いることで、輝度ムラと色ムラを軽減できるようになる。なお、光源ユニットの照射箇所は一般に小さい斜面になることから、光源ユニットは１つの第１ＬＥＤと１つの第２ＬＥＤをペアとして含む最小単位の構成にすることが好ましい。また、全体的な光量を増加させたいときは、導光板の複数の角部に面取り的な斜面をそれぞれ形成し、各斜面と対向するように光源ユニットを配置することが好適である。
【００２９】
さらに、本発明に係る液晶表示装置は、液晶パネルと、液晶パネルの裏面側に配置される矩形状の導光板と、前記ＬＥＤ光源体と、前記ＬＥＤ光源体が含む第１ＬＥＤおよび第２ＬＥＤの両方を発光させる第１発光状態と、第２ＬＥＤを発光させる第２発光状態との切替を行う切替手段とを備え、前記導光板の少なくともいずれか１つの角部には、面取り的な斜面が形成してあり、前記ＬＥＤ光源体は、第１ＬＥＤに係る光軸方向と、第２ＬＥＤに係る光軸方向とが重なるようにしてあると共に、第１ＬＥＤおよび第２ＬＥＤが前記導光板の前記斜面へ向けて照射するように配置してあることを特徴とする。
【００３０】
本発明にあっては、第１ＬＥＤおよび第２ＬＥＤを含むと共に、各ＬＥＤの光軸方向を重ならせたＬＥＤ光源体を、導光板の角部に形成した斜面と対向配置するので、携帯電話機などの小型の液晶表示装置で好適な構成で、輝度ムラおよび色ムラを軽減できるようになる。なお、この場合でも、全体的な光量を増加させたいときは、導光板の複数の角部に形成したそれぞれの斜面と対向するように、上述したＬＥＤ光源体を配置することが好ましい。
【００３１】
さらにまた、本発明に係る液晶表示装置は、前記導光板の前記斜面には、第１ＬＥＤの光軸方向に直交的な第１斜面と、第２ＬＥＤの光軸方向に直交的な第２斜面が形成してあることを特徴とする。
本発明にあっては、導光板の角部に設けた斜面に、各ＬＥＤの光軸方向とそれぞれ直交的となる第１斜面および第２斜面を形成するので、両方のＬＥＤで照射を行う場合、両方のＬＥＤから発せられる光がさらに混じり合うようになり、色ムラが一段と軽減される。
【発明の効果】
【００３２】
本発明にあっては、ＬＥＤ光源体は発光特性の異なる第１ＬＥＤと第２ＬＥＤとを光軸方向が相違する向きに備えているので、この光源体をそれぞれの光軸が交差するように配置して液晶パネルを照射することにより、輝度ムラと色ムラを軽減できる。
【００３３】
また、本発明にあっては、発光特性の異なる第１ＬＥＤと第２ＬＥＤが、それぞれの光軸方向が重なるように、少なくともいずれか一方を傾けて配置してあるので、液晶パネルの輝度ムラと色ムラを軽減できる。
さらに、本発明にあっては、高演色性の第２ＬＥＤの光軸が中心部へと傾けて配置されているので、液晶パネルの中心部の画質を良好にでき、また、第１ＬＥＤと第２ＬＥＤが、それぞれの光軸方向が重なるように配置してあるので、液晶パネルの輝度ムラと色ムラを軽減できる。
【００３４】
さらにまた、本発明にあっては、直列的な配置における端寄りに配置された第１ＬＥＤは、中心寄りに配置された第１ＬＥＤに比べて傾ける角度が小さくしてあるので、導光板の側面での輝度の高い光の反射を抑えることができ、液晶パネルの輝度ムラと色ムラを軽減できる。
くわえて、本発明にあっては、直列的な配置における端寄りに配置された第２ＬＥＤは、中心寄りに配置された第２ＬＥＤに比べて傾ける角度が小さくしてあるので、導光板の側面での演色性に優れた光の反射を抑えることができ、液晶パネルの輝度ムラと色ムラを軽減できる。
【００３５】
また、本発明にあっては、第１ＬＥＤおよび第２ＬＥＤの双方を発光させる第１発光状態と、第２ＬＥＤのみを発光させる第２発光状態を択一的に切替できるので、様々な使用の状況に対応できる。
さらに、本発明にあっては、第１ＬＥＤと第２ＬＥＤからの光路が、導光パターンにより同一になるので、この光路に相当する液晶パネルの領域は第２発光状態でも少なくとも第２ＬＥＤにより照射されて極度に暗くなることはないので、輝度ムラを一層軽減できる。
【００３６】
本発明にあっては、携帯電話機などの小型の液晶表示装置で適用されることのある導光板の角部の斜面に光源を配置する構成において、光源に光源ユニットまたはＬＥＤ光源体を用いるので、小型化を維持した上で輝度ムラおよび色ムラを軽減できる。
また、本発明にあっては、導光板の角部に設けた斜面に、各ＬＥＤの光軸方向とそれぞれ直交的となる第１斜面および第２斜面を形成するので、両方のＬＥＤで照射を行う場合、両方のＬＥＤから発せられる光がさらに混じり合うようになり、色ムラを一段と軽減できる。
【発明を実施するための最良の形態】
【００３７】
図１は、本発明の実施形態に係る携帯電話機１０（液晶表示装置１１を含む）の概略図である。携帯電話機１０は、略直方体の筐体１２に、コンテンツ表示を行う液晶パネル１１ａと、後述する光源ユニットの照射の態様を切り替える切替スイッチ１３、携帯電話機１０を操作するための操作部１４を備えている。
【００３８】
図２（ａ）は液晶パネル１１ａを照射する光源ユニット１５や導光板１６など、サイドライト方式の液晶表示装置１１の構造を示す正面図であり、図２（ｂ）は図２（ａ）のＡ−Ａ線における断面図である。液晶表示装置１１は、ハウジング１７、導光板１６、光源ユニット１５、液晶パネル１１ａなどにより構成されている。
【００３９】
光源ユニット１５は、液晶パネル１１ａを照射する光源である。この光源ユニット１５は、導光板１６の側面１６ａに沿って配置されており、各ＬＥＤは、そのヘッドが導光板１６の側面１６ａに対向するようにベース１５ａに設けられている。具体的には、ベース１５ａには、高輝度ＬＥＤ（第１ＬＥＤに該当）１８ａ、１８ｂ、１８ｃ、１８ｄと高演色ＬＥＤ（第２ＬＥＤに該当）１９ａ、１９ｂ、１９ｃの２種類のチップ型のＬＥＤが、交互に直列状に配置されている。
【００４０】
ベース１５ａの両端に位置する高輝度ＬＥＤ１８ａ、１８ｄ及びベース１５ａの中心に位置する高演色ＬＥＤ１９ｂは、その光軸（光の進む路の中心線）Ｌ１及びＬ２並びにＬ３が、導光板１６の側面１６ａと垂直に交差するように配置されている。一方、図２（ａ）中、左から２番目と右から２番目の高演色ＬＥＤ１９ａ、１９ｃは、それぞれの光軸Ｌ４、Ｌ５が液晶パネル１１ａの中心部１１ｂへと傾くようにベース１５ａに配置され、また図２（ａ）中、左から３番目の高輝度ＬＥＤ１８ｂは、その光軸Ｌ６が左側面１６ｂへと向くようにベース１５ａに傾いて配置されており、さらに図２（ａ）中、右から３番目の高輝度ＬＥＤ１８ｃは、その光軸Ｌ７が右側面１６ｃへ向くようにベース１５ａに傾いて配置されている。それぞれのＬＥＤの傾きは等しく、光軸Ｌ４、Ｌ６、Ｌ７、Ｌ５は、側面１６ａと角度αで交差している。なお、以下においては、説明の便宜上、光の屈折については省略するものとする。
【００４１】
高輝度ＬＥＤ１８ａ〜１８ｄは、例えば、青色ＬＥＤの発光チップと黄色蛍光体（Ｃａ−αサイアロン）とから構成されている白色ＬＥＤである。また、高演色ＬＥＤ１９ａ〜１９ｃは、青色ＬＥＤの発光チップと赤色蛍光体（ＣａＡｌＳｉＮ３）と緑色蛍光体（βサイアロン）とから構成されている白色ＬＥＤである。
【００４２】
なお、本実施例ではチップ型のＬＥＤが用いられているが、砲弾型やフラット型のＬＥＤを用いることも勿論可能である。砲弾型のＬＥＤを用いると、光を照射する方向の光量が多いため、液晶パネルの輝度を上げることができるメリットがある。また、フラット型のＬＥＤは、板状の形状をしているので、液晶表示装置に実装しやすいメリットがある。
【００４３】
図３は、高輝度ＬＥＤ１８ａ〜１８ｄおよび高演色ＬＥＤ１９ａ〜１９ｃの放射強度（輝度）を示すグラフである。横軸は波長（ｎｍ）を示しており、縦軸は放射強度を示している。破線２０ａは高輝度ＬＥＤ１８ａ〜１８ｄを示し、実線２０ｂは高演色ＬＥＤ１９ａ〜１９ｃを示す。高輝度ＬＥＤ１８ａ〜１８ｄと高演色ＬＥＤ１９ａ〜１９ｃは、青色ＬＥＤの発光により励起されるので、青色ＬＥＤの光波長である４７０ｎｍ付近で最高ピークを有する。高輝度ＬＥＤ１８ａ〜１８ｄは、４７０ｎｍ付近で、高演色ＬＥＤ１９ａ〜１９ｃより、約２倍近い放射強度を有している。また、演色性に関しては、高輝度ＬＥＤ１８ａ〜１８ｄは平均演色評価数が８０Ｒａであり、高演色ＬＥＤ１９ａ〜１９ｃは平均演色評価数が９０Ｒａである。
【００４４】
また、液晶表示装置１１の導光板１６は、図２（ｂ）で示すように、断面形状が略楔状の透明なアクリル樹脂製の板であり、光源ユニット１５からの光を均一に面発光させることにより、液晶パネル１１ａを裏面から照射する部品である。また、図２（ａ）に示すように、導光板１６には、光源ユニット１５からの光を拡散反射させて液晶パネル１１ａを照射する第１導光パターン１６ｄと第２導光パターン１６ｅが設けられている。
【００４５】
第１導光パターン１６ｄと第２導光パターン１６ｅは、導光板１６が液晶パネル１１ａと対向する面とは逆の面に印刷された拡散反射特性を有する白色ドットである。第１導光パターン１６ｄは、高演色ＬＥＤ１９ａと高輝度ＬＥＤ１８ｂの双方で照射される箇所、すなわち高演色ＬＥＤ１９ａの光軸Ｌ４と高輝度ＬＥＤ１８ｂの光軸Ｌ６が交差する箇所に印刷されている。第１導光パターン１６ｄは、高演色ＬＥＤ１９ａからの光と高輝度ＬＥＤ１８ｂからの光の指向性が共通になるように設計されており、高演色ＬＥＤ１９ａからの光と高輝度ＬＥＤ１８ｂからの光は、第１導光パターン１６ｄから出た後は共に光軸Ｌ８に沿って進むようになっている。
【００４６】
また、第２導光パターン１６ｅは、高輝度ＬＥＤ１８ｃと高演色ＬＥＤ１９ｃの双方で照射される箇所、すなわち高輝度ＬＥＤ１８ｃの光軸Ｌ７と高演色ＬＥＤ１９ｃの光軸Ｌ５が交差する箇所に印刷されている。第２導光パターン１６ｅは、高輝度ＬＥＤ１８ｃからの光と高演色ＬＥＤ１９ｃからの光の指向性が共通になるように設計されており、高輝度ＬＥＤ１８ｃからの光と高演色ＬＥＤ１９ｃからの光は、第２導光パターン１６ｅから出た後は共に光軸Ｌ９に沿って進むようになっている。
【００４７】
なお、本実施例では、白色ドットを導光板１６に印刷することで、金型などを不要とし、量産までの時間の短縮とコストの抑制を図っている。しかし、白色ドットを印刷する代わりに、導光板１６にミクロン単位のプリズムパターンなどの凹凸を形成することも考えられる。この場合、指向性をもって光を望む方向に反射させることができるメリットがある。また、例えば架橋性シリコーン樹脂からなる真球状粒子を内部に分散させて導光板１６を形成することにより、光を拡散反射させることも考えられる。この場合、光を導光板１６の内部全体で散乱させることができるので、効率よく液晶パネル１１ａを照射でき、かつ、断面形状を略楔状にする必要がないので、導光板１６を平たい板状に小型化できるメリットがある。
【００４８】
さらに、液晶表示装置１１の導光板１６が液晶パネル１１ａと対向する側の面には、第１プリズムシート２１ａ、第２プリズムシート２１ｂ、拡散シート２２が配置されており、導光板１６がハウジング１７と対向する側の面には反射シート２３が配置されている。第１プリズムシート２１ａおよび第２プリズムシート２１ｂは、光を集光させて正面輝度を向上させる部材であり、拡散シート２２は、液晶パネル１１ａの輝度の向上、光の拡散、輝度ムラを低減させるための部材である。また、反射シート２３は、導光板１６から漏れ出た光を無駄なく有効に利用するための部材である。
【００４９】
図４は、液晶表示装置１１の電気的構成を示すブロック図であり、液晶表示装置１１は液晶パネル１１ａ、切替スイッチ１３、光源ユニット１５、制御部２４、液晶パネルインターフェース２５を有し、また操作部１４と接続している。液晶表示装置１１は、切替スイッチ１３の操作により、光源ユニット１５の照射の態様が、屋外モードと屋内モードとに切り替わるようになっている。屋外モードとは、太陽光の下で携帯電話機１０を使用する場合に、太陽光が液晶パネル１１ａの表面で反射して表示コンテンツが見にくくなることに対応して、液晶パネル１１ａの輝度を高くするため光源ユニット１５に備えられた全てのＬＥＤを点灯させる状態（第１発光状態に該当）のことを言う。一方、屋内モードとは、演色性を高めてコンテンツ表示を高画質で享受するために、高演色ＬＥＤ１９ａ〜１９ｃを点灯させる状態（第２発光状態に該当）のことを言う。
【００５０】
切替スイッチ１３は、携帯電話機１０の制御全般を行う制御部２４と接続されており、制御部２４は、切替スイッチ１３が図１の矢印方向へとスライドしたときは屋内モードで光源ユニット１５を点灯させ、矢印方向とは逆へスライドしたときは屋外モードで光源ユニット１５を点灯させる制御を行う。なお、制御部２４は、液晶パネル１１ａと、表示コンテンツ信号の仲介を行う液晶パネルインターフェース２５を介して接続されており、光源ユニット１５が液晶パネル１１ａを照射することにより、液晶パネル１１ａにおいてコンテンツ表示が行われる。
【００５１】
以下、本発明の実施形態に係る携帯電話機１０に含まれる液晶表示装置１１の動作について説明する。図５（ａ）に示すように、切替スイッチ１３が図１の矢印方向とは逆方向へスライドした状態では、光源ユニット１５は、屋外モードで照射する。液晶パネル１１ａは、光源ユニット１５に備えられた全てのＬＥＤで照射されるので、液晶パネル１１ａ表面で太陽光が反射しても、表示コンテンツの視認が困難になることはない。また、高輝度ＬＥＤ１８ｂの光および高演色ＬＥＤ１９ａの光並びに高輝度ＬＥＤ１８ｃの光および高演色ＬＥＤ１９ｃの光を合成して液晶パネル１１ａを照射するので、色ムラも軽減される。
【００５２】
また、図５（ｂ）に示すように、切替スイッチ１３を矢印方向へとスライドして、光源ユニット１５が屋内モードで照射する場合は、高演色ＬＥＤ１９ａ〜１９ｃで液晶パネル１１ａが照射されることになる。これにより、携帯電話機１０は、優れた画質の表示コンテンツを提供できる。
【００５３】
なお、屋内モードでは、高輝度ＬＥＤ１８ａ〜１８ｄが点灯しないので、液晶パネル２ａ全体の明るさは低下する。しかし、高演色ＬＥＤ１９ａからの光が第１導光パターン１６ｄに、第３高演色ＬＥＤ１９ｃからの光が第２導光パターン１６ｅに照射され、第１導光パターン１６ｄと第２導光パターン１６ｅに対応する液晶パネル１１ａ上の領域が照射されるので、液晶パネル１１ａ全体の輝度が極端に低下することはない。さらに、高演色ＬＥＤ１９ａからの光は、第１導光パターン１６ｄから出た後は、光軸Ｌ８に沿って進む。また、高演色ＬＥＤ１９ｃからの光も、第２導光パターン１６ｅから出た後は、光軸Ｌ９に沿って進む。そして、高演色ＬＥＤ１９ｂからの光は、光軸Ｌ３に沿って液晶パネル１１ａの中心部へと進む。そのため、屋内モードでは、もっぱら液晶パネル１１ａの中心部およびその周辺が照射されるようになる。ユーザは液晶パネル１１ａの中心部に視線を集中させる傾向があるので、液晶パネル１１ａの中心部およびその周辺の輝度の低下を抑えれば、液晶パネル１１ａ全体の輝度の低下にかかわらず、表示コンテンツの視認に関して問題が生じることはない。
【００５４】
なお、本発明に係る液晶表示装置１１および液晶表示装置１１に備えられている光源ユニット１５などは、上述した形態に限定されるものではなく、種々の変形例が存在する。例えば、図６（ａ）に示すように、チップ型の高輝度ＬＥＤ３１と高演色ＬＥＤ３２を発光チップとしてそれぞれの光軸３１ａ、３２ａが重なるように内側へ傾けて配置し、それらを透光性樹脂３３で覆いワンユニット化したＬＥＤ光源体３０が考えられる。図６（ｂ）に示すように、このＬＥＤ光源体３０をベース３４に配置して光源ユニット３５を形成することにより、相違する発光特性を有するＬＥＤの光軸を重ねることができ、上述した実施形態と同様に輝度ムラや色ムラを軽減することができる。また、２種類のＬＥＤをワンユニット化するので、生産工程などを簡略化できるメリットもある。
【００５５】
また、図６（ｃ）に示すように、高輝度ＬＥＤ４１と高演色ＬＥＤ４２を発光チップとしてそれぞれの光軸４１ａ、４２ａが外方へ向くように外側へ傾けて配置し、それらを透光性樹脂４３で覆いワンユニット化したＬＥＤ光源体４０も考えられる。図６（ｄ）に示すように、このＬＥＤ光源体４０を、ベース４４に配置して光源ユニット４５を形成することにより、相違する発光特性を有するＬＥＤの光軸を重ねることができ、上述した実施形態と同様に輝度ムラや色ムラを軽減することができる。また、ＬＥＤ光源体３０と同様に、生産工程などを簡略化できる。
【００５６】
なお、ＬＥＤ光源体３０、４０の発光チップであるＬＥＤはチップ型に限られるものではなく、他にも砲弾型やフラット型のＬＥＤを用いることも可能である。
【００５７】
さらに、図２（ａ）（ｂ）に示す光源ユニット１５においては、高演色ＬＥＤ１９ａおよび高輝度ＬＥＤ１８ｂ、並びに高輝度ＬＥＤ１８ｃおよび高演色ＬＥＤ１９ｃを傾けて配置しているが、例えば図７（ａ）のように、高演色ＬＥＤ５３ａと高演色ＬＥＤ５３ｃのみを傾けて配置し、その他の高輝度ＬＥＤ５２と高演色ＬＥＤ５３ｂは傾けずに配置する光源ユニット５１を備える液晶表示装置５０も考えられる。さらにまた、図７（ｂ）のように、高輝度ＬＥＤ６２ｂ、６２ｃのみを傾けて配置し、その他の高輝度ＬＥＤ６２ａ、６２ｄ、高演色ＬＥＤ６３は傾けずに配置する光源ユニット６１を備える液晶表示装置６０も考えられる。このように傾けて配置するＬＥＤの個数を減らすことにより、傾ける角度の調整に係る工程を省略でき、製造コストを低く抑えられるメリットがある。
【００５８】
くわえて、高輝度ＬＥＤと高演色ＬＥＤの個数、配置、傾斜角度は、上記実施形態に限定されるものではなく、適用される機器の大きさや導光パターンの位置に応じて、適宜変更することも可能である。例えば、図２（ａ）（ｂ）に示す光源ユニット１５は、中心部に高演色ＬＥＤ１９ｂを配置し、そこを起点に高輝度ＬＥＤと高演色ＬＥＤとを交互に配置している。しかし、図８に示すように、ベース７１の中心部に高輝度ＬＥＤ７２ｂを配置し、そこを起点に右側に高演色ＬＥＤ７３ｃ、高輝度ＬＥＤ７２ｃ、高演色ＬＥＤ７３ｄを配置し、左側に高演色ＬＥＤ７３ｂ、高輝度ＬＥＤ７２ａ、高演色ＬＥＤ７３ａを配置して液晶パネル７４を照射する液晶表示装置７０も考えられる。このようにＬＥＤを配置することにより、ユーザが注目する液晶パネル７４の中心部の輝度を上げることができるメリットがある。
【００５９】
また、図９（ａ）に示すように、配置されるＬＥＤの個数が多くなった場合は、ＬＥＤの傾きを配置箇所に応じて相違させた光源ユニットも考えられる。具体的には、光源ユニット８１の端部寄りに配置される高輝度ＬＥＤ８２ｂと高演色ＬＥＤ８３ｂの光軸Ｌ１２、Ｌ１３と側面８４ａとが交差する角度βが、光源ユニット８１の中心部（図９（ａ）のＣＬ線）寄りに配置される高輝度ＬＥＤ８２ａと高演色ＬＥＤ８３ａの光軸Ｌ１０、Ｌ１１と側面８４ａが交差する角度γよりも小さくなるように、それぞれのＬＥＤを傾けて配置する。
【００６０】
この場合、図９（ｂ）に示すように、高輝度ＬＥＤ８２ａからの光は、光軸Ｌ１０に沿って進み、光源ユニット８１により近い位置Ｐ１で右側面８４ｃに到達し、導光板８４の内部へと鋭い角度で反射する。一方、高輝度ＬＥＤ８２ｂからの光は、光軸Ｌ１２に沿って進み、光源ユニット８１から遠い位置Ｐ２で右側面８４ｃに到達し、緩い角度で導光板８４の内部へと反射する。そのため、高輝度ＬＥＤ８２ｂから照射された光が反射して、不規則に液晶パネルを照射することがなくなるので、輝度ムラと色ムラをより軽減できるメリットがある。特に、高輝度ＬＥＤ８２ｂは側面８４ｃに近い位置にあり、かつその光の輝度が高いため、その光が光源ユニット８１の近くで反射すると強い輝度ムラや色ムラが生じるが、それを防ぐことが可能になる。
【００６１】
また、高演色ＬＥＤ８３ｂの配置の角度が緩やかなので、高演色ＬＥＤ８３ｂからの光は、光軸Ｌ１３に沿って進む。そのため、高演色ＬＥＤ８３ｂからの光が導光板８４の内部で不規則に反射することを抑えられ、輝度ムラや色ムラを軽減することが可能になる。
【００６２】
くわえて、本実施例に係る液晶表示装置１１は、ユーザによるマニュアル操作で光源ユニット１５の照射の態様を屋内モードと屋外モードに切り替えていたが、変形例として外光の明度を検出する明度センサを用いて、これを自動的に行う構成も考えられる。図１０は、この変形例に係る液晶表示装置９０の電気的構成を示すブロック図である。制御部９１は、外光の明度を検出する明度センサ９４と電気的に接続されており、その明度センサ９４から入力される外光の明度の数値に基づき、制御部９１が光源ユニット９５の照射の態様の切替を行う。制御部９１は、明度閾値を記録した内部メモリ９２を有しており、明度センサ９４からの外光の明度の数値と明度閾値とを比較し、外光の明度の数値が明度閾値以上の場合は屋外モードで、明度閾値未満の場合は屋内モードで光源ユニット９５を照射させる制御を行う。
【００６３】
また、本実施例に係る液晶表示装置１１は、いわゆるサイドライト方式を例として説明したが、液晶パネルの裏面に液晶パネルを照射する光源を備える直下型バックライト方式にも適用できる。さらに、高演色ＬＥＤ１９ａ、１９ｂ、１９ｃの代わりに、赤色ＬＥＤ、緑色ＬＥＤおよび青色ＬＥＤを発光チップとして組み合わせた白色ＬＥＤを用いる構成も考えられる。さらにまた、本実施形態では、液晶表示装置が適用される電気機器として携帯電話機を例として説明したが、本実施例に係る液晶表示装置１１は、他の機器類、例えばデジタルビデオカメラ、ポータブルＤＶＤ、ポータブルゲーム機、ＰＤＡ（Personal Digital Assistants）などにも適用できる。くわえて、上述した各構成（変形例も含む。）は、適宜、組み合わせることも可能である。
【００６４】
図１１（ａ）は、本発明の第２実施形態に係る液晶表示装置１００の要部を示している。第２実施形態の液晶表示装置１００は、液晶パネル１０１の裏面側に全体的な外周形状（液晶パネル１０１の裏面に対向する面の外周形状）が矩形状の導光板１０２を配置し、導光板１０２の一側面１０２ａと他側面１０２ｂが交わる角部の頂点を無くすように、面取り的な斜面１０２ｃを導光板１０２に形成している。また、第２実施形態の液晶表示装置１００は、導光板の斜面１０２ｃと対向するように光源ユニット１０５を配置している。なお、このような図１１（ａ）に示す構成は、図２（ａ）の導光板の一側面に対向して光源ユニットを配置する場合に比べて全体を小型化できるため、液晶パネルを具備した小型電気機器に好適となる。
【００６５】
第２実施形態で用いられる光源ユニット１０５は、第１実施形態の図２（ａ）に示す光源ユニット１５の中の高輝度ＬＥＤ１８ｃと、高演色ＬＥＤ１９ｃをペアとして用いたような最小単位の構成になっており、ベース１０５ａに高輝度ＬＥＤ１０８と高演色ＬＥＤ１０９を、それぞれの光軸Ｌ１４、Ｌ１５の方向が重なるように配置している。なお、第２実施形態においても、光源ユニット１０５の発光制御を行う回路構成には、図４のブロック図で示すものを適用している。
【００６６】
第２実施形態の液晶表示装置１００において、光源ユニット１０５を発光させると、導光板１０２の斜面が照射されるようになり、そのため、屋外モードにセットされた場合、液晶表示装置１００は、光軸Ｌ１４、Ｌ１５が重なる高輝度ＬＥＤ１０８および高演色ＬＥＤ１０９の両方で照射を行うので、相異する特性の光が合成されるようになり、装置構成の小型化を維持した上で、液晶パネル１０１の色ムラを低減できる。また、屋内モードにセットされると、液晶表示装置１００は、高輝度ＬＥＤ１０８を消灯し、高演色ＬＥＤ１０９で照射を行うので、液晶パネル１０１に表示される画像の画質を良好にして輝度ムラを軽減できる。
【００６７】
なお、第２実施形態の液晶表示装置１００でも、第１実施形態で説明した各種変形例の中で適用できるものは、用いることも可能であり、例えば、光源ユニット１０５の発光制御に係る回路構成は、図１０のブロック図で示すものを適用することも可能であり、また、光量を増加させたいときは、各ＬＥＤ１０８、１０９の数を増やすようにしてもよい。
【００６８】
図１１（ｂ）の液晶表示装置１１０は、第２実施形態において、図１１（ａ）の液晶表示装置１００より光量を増加させる場合の変形例を示したものである。変形例の液晶表示装置１１０は、液晶パネル１１１と対向する導光板１１２における一側面１１２ａの一方の他側面１１２ｂと交わる角部に斜面１１２ｃを形成すると共に、他方の他側面１１２ｄと交わる角部に斜面１１２ｅを形成し、各斜面１１２ｃ、１１２ｅと対向するように光源ユニット１１５をそれぞれ配置している。なお、光源ユニット１１５は、図１１（ａ）で示した光源ユニット１０５と同様であり、ベース１１５ａに高輝度ＬＥＤ１１８と高演色ＬＥＤ１１９を、それぞれの光軸方向が重なるように配置した構成になっている。この変形例の液晶表示装置１１０では、一側面１１２ａの両側に形成された斜面１１２ｃ、１１２ｅが、光源ユニット１１５でそれぞれ照射されるため、輝度ムラおよび色ムラの軽減を維持した上で、図１１（ａ）の液晶表示装置１００に比べて液晶パネル１１１における光量を増加させることができる。
【００６９】
図１２（ａ）は、第２実施形態における別の変形例の液晶表示装置１２０を示している。この変形例の液晶表示装置１２０は、液晶パネル１２１に対向配置される導光板１２２の一側面１２２ａの他側面１２２ｂと交わる側の角部１２２ｃに第１斜面１２２ｄおよび第２斜面１２２ｅの計２つの斜面を形成していることが特徴になっている。角部１２２ｃに対向配置する光源ユニット１２５は、図１１（ａ）の光源ユニット１０５と同様であり、ベース１２５ａに高輝度ＬＥＤ１２８と高演色ＬＥＤ１２９を、それぞれの光軸Ｌ１６、Ｌ１７の方向が重なるように配置している。
【００７０】
導光板１２０の各斜面１２２ｄ、１２２ｅは、上述の光源ユニット１２５の各ＬＥＤ１２８、１２９の光軸方向と直交するように形成されており、具体的には、第１斜面１２２ｄは、高輝度ＬＥＤ１２８の光軸Ｌ１６の方向と直交的な角度で形成されており、第２斜面１２２ｅは、高演色ＬＥＤ１２９の光軸Ｌ１７の方向と直交的な角度で形成されている。このように角度で各斜面１２２ｄ、１２２ｅを形成することで、各ＬＥＤ１２８、１２９から照射される光が、導光板１１２の入射面となる各斜面１２２ｄ、１２２ｅで屈折しにくくなり、導光板１２０の中で光軸Ｌ１６、Ｌ１７をより重ねやすくなると共に、導光板１２０のパターン設計も行いやすくなる。
【００７１】
図１２（ｂ）の液晶表示装置１３０は、図１２（ａ）に示すパターンの変形例で、光量増加に対応したものである。すなわち、液晶表示装置１３０は、液晶パネル１３１に対向配置される導光板１３２の一側面１３２ａの一方の他側面１３２ｂと交わる角部１３２ｃに、図１２（ａ）と同様に、第１斜面１３２ｄおよび第２斜面１３２ｅを形成すると共に、他方の他側面１３２ｆと交わる角部に第１斜面１３２ｇおよび第２斜面１３２ｈを形成している。さらに、変形例の液晶表示装置１３０は、一方の他側面１３２ｂの側の各斜面１３２ｄ、１３２ｅと対向するように光源ユニット１３５を配置し、他方の他側面１３２ｂの側の各斜面１３２ｇ、１３２ｈと対向するように光源ユニット１３５を配置している。なお、光源ユニット１３５自体は、図１２（ａ）の光源ユニット１２５と同様であり、ベース１３５ａに高輝度ＬＥＤ１３８と高演色ＬＥＤ１３９を、それぞれの光軸が重なるように配置したものになっている。よって、図１２（ｂ）の液晶表示装置１３０では、光量を増加した上で、光源ユニット１３５の各ＬＥＤ１３８、１３９の光軸方向の直交的な斜面１３２ｄ、１３２ｅ、１３２ｇ、１３２ｈに各ＬＥＤ１３８、１３９からの光が入射されるので、入射面での光の屈折を抑えて輝度ムラおよび色ムラを一層軽減できる。
【００７２】
図１３（ａ）は、第２実施形態の別の変形例の液晶表示装置１４０を示しており、光源として、光源ユニットではなく、図６（ａ）に示すＬＥＤ光源体３０と同様な構成のワンユニット化されたＬＥＤ光源体１５０を用いたことを特徴としている。なお、液晶表示装置１４０は、それ以外の部分は、図１１（ａ）の液晶表示装置１００と同様であり、液晶パネル１４１に対向配置される導光板１４２の一側面１４２ａと他側面１４２ｂが交わる角部に面取り的な斜面１４２ｃを形成し、ＬＥＤ光源体１５０の透光性樹脂１５３で覆われる高輝度ＬＥＤ１５１と高演色ＬＥＤ１５２の重なる光軸Ｌ１８、Ｌ１９に基づく光で斜面１４２ｃを照射するようにしている。よって、ＬＥＤ光源体１５０を用いた液晶表示装置１４０は、簡易な構成の光源でコンパクトな構成を確保しながら、輝度ムラおよび色ムラの軽減を図ることができる。
【００７３】
図１３（ｂ）の液晶表示装置１６０は、ワンユニット化されたＬＥＤ光源体１７０を用いた別の変形例を示しており、液晶パネル１６１に対向配置される導光板１６２の一側面１６２ａの他側面１６２ｂの角部１６２ｃに第１斜面１６２ｄおよび第２斜面１６２ｅの計２つの斜面を形成し、各斜面１６２ｄ、１６２ｅと対向するようにＬＥＤ光源体１７０を配置している。なお、第１斜面１６２ｄは、ＬＥＤ光源体１７０の透光性樹脂１７３に覆われた高輝度ＬＥＤ１７１の光軸Ｌ２０の方向と直交的な角度で形成されると共に、第２斜面１６２ｅは、高演色ＬＥＤ１７２の光軸Ｌ２１の方向と直交的な角度で形成されている。そのため、液晶表示装置１６０では、ＬＥＤ光源体１７０から発せられる光が導光板１６２の入射面（各斜面１６２ｄ、１６２ｅ）で屈折しないので、光軸Ｌ２０、Ｌ２１が重ねやすくなり、導光板１６２のパターン設計も行いやすくなる。なお、図１３（ａ）（ｂ）に示す変形例の液晶表示装置１４０、１６０でも、光量を増加させたい場合は、図１１（ｂ）、図１２（ｂ）に示す液晶表示装置１１０、１３０と同様に、他の角部に形成した斜面に対向するようにＬＥＤ光源体１５０、１７０を配置すればよい。
【図面の簡単な説明】
【００７４】
【図１】本発明の実施形態に係る液晶表示装置を備える携帯電話機の正面図である。
【図２】（ａ）は液晶表示装置の構造を示す正面図であり、（ｂ）は液晶表示装置のＡ−Ａ線の断面図である。
【図３】高輝度ＬＥＤと高演色ＬＥＤの放射強度を示すグラフである。
【図４】液晶表示装置の電気的構成を示すブロック図である。
【図５】（ａ）は液晶表示装置の第１発光状態を示す概略図であり、（ｂ）は第２発光状態を示す概略図である。
【図６】（ａ）は高輝度ＬＥＤと高演色ＬＥＤをワンユニット化したＬＥＤ光源体の概略図であり、（ｂ）はそのＬＥＤ光源体を備えた光源ユニットの概略図であり、（ｃ）は変形例のＬＥＤ光源体の概略図であり、（ｄ）はそのＬＥＤ光源体を備えた光源ユニットの概略図である。
【図７】（ａ）はＬＥＤの配置角度に関する変形例の液晶表示装置の要部を示す概略図であり、（ｂ）は別の変形例の液晶表示装置の要部を示す概略図である。
【図８】高輝度ＬＥＤと高演色ＬＥＤの配置に関する変形例の液晶表示装置の要部を示す概略図である。
【図９】（ａ）は高輝度ＬＥＤと高演色ＬＥＤの傾きに関する変形例の液晶表示装置の要部を示す概略図であり、（ｂ）はその液晶表示装置のＬＥＤの反射状態を示す概略図である。
【図１０】明度センサを備えた液晶表示装置の変形例の電気的構成を示すブロック図である。
【図１１】（ａ）は本発明の第２実施形態に係る液晶表示装置の要部を示す概略図、（ｂ）は第２実施形態の変形例に係る液晶表示装置の要部を示す概略図である。
【図１２】第２実施形態の変形例の液晶表示装置の要部であり、（ａ）は高輝度ＬＥＤおよび高演色ＬＥＤの各光軸に直交的な第１斜面および第２斜面を形成した概略図であり、（ｂ）は２つの角部に第１斜面および第２斜面を形成した変形例の概略図である。
【図１３】第２実施形態の別の変形例の液晶表示装置の要部であり、（ａ）はＬＥＤ光源体を導光板の角部の斜面に対向配置した概略図、（ｂ）はＬＥＤ光源体を角部の第１斜面および第２斜面に対向配置した概略図である。
【図１４】従来の液晶表示装置における輝度ムラと色ムラを示す概略図である。
【図１５】別の従来の液晶表示装置における輝度ムラと色ムラを示す概略図である。
【符号の説明】
【００７５】
１０  携帯電話機
１１  液晶表示装置
１１ａ  液晶パネル
１５  光源ユニット
１６  導光板
１８ａ、１８ｂ、１８ｃ、１８ｄ  高輝度ＬＥＤ
１９ａ、１９ｂ、１９ｃ  高演色ＬＥＤ
１６ｄ  第１導光パターン
１６ｅ  第２導光パターン
【図１】
0004627070.tif 000002
【図２】
0004627070.tif 000003
【図３】
0004627070.tif 000004
【図４】
0004627070.tif 000005
【図５】
0004627070.tif 000006
【図６】
0004627070.tif 000007
【図７】
0004627070.tif 000008
【図８】
0004627070.tif 000009
【図９】
0004627070.tif 000010
【図１０】
0004627070.tif 000011
【図１１】
0004627070.tif 000012
【図１２】
0004627070.tif 000013
【図１３】
0004627070.tif 000014
【図１４】
0004627070.tif 000015
【図１５】
0004627070.tif 000016